(57)【要約】【課題】紙幣プール部に投入された紙幣に衝突させることなく異常が検知された紙幣を紙幣プール部へ戻すことができるようにする。【解決手段】紙幣入出金口から投入された紙幣を蓄積する紙幣プール部２２内を移動することができる可動板３７とその可動板３７を移動させる駆動手段とを設け、紙幣プール部２２から搬送された紙幣の異常を検知する異常検知手段３６で紙幣の異常を検知したとき、可動板３７を移動させて紙幣プール部２２に投入された紙幣２４とフロアガイド部３２との間に異常が検知された紙幣を戻す空間を形成するようにした。【選択図】        図１
2007199914.tif 000002
【特許請求の範囲】
【請求項１】
紙幣入出金口から投入された紙幣を蓄積する紙幣プール部と、該紙幣プール部に投入された紙幣を支持するフロアガイド部と、該フロアガイド部に設けられ、該紙幣に当接する繰出しローラと、該繰出しローラを回転させ1枚ずつ分離して繰出した紙幣を搬送する紙幣搬送路と、搬送された紙幣の異常を検知する異常検知手段とを備えた紙幣入出金機において、
紙幣プール部内を移動可能な可動板と、
該可動板を移動させる駆動手段とを設け、
前記異常検知手段で紙幣の異常を検知したとき、前記駆動手段で前記可動板を移動させ、前記紙幣プール部に投入された紙幣と前記フロアガイド部との間に異常が検知された該紙幣を戻す空間を形成するようにしたことを特徴とする紙幣入出金機。
【請求項２】
請求項１の紙幣入出金機において、
前記可動板を、紙幣プール部の繰出しローラ側の側面と対向配置し、該側面と平行した状態を保持しながら移動可能としたことを特徴とする紙幣入出金機。
【請求項３】
請求項１または請求項２の紙幣入出金機において、
前記可動板を移動させて形成した空間に、前記紙幣搬送路上の紙幣を戻し、その紙幣を再度、分離して繰出すようにしたことを特徴とする紙幣入出金機。
【請求項４】
請求項１、請求項２または請求項３の紙幣入出金機において、
前記可動板に、紙幣を取り出すための切り欠きを設けたことを特徴とする紙幣入出金機。
【請求項５】
請求項４の紙幣入出金機において、
前記紙幣プール部の側面に、前記可動板の切り欠いた部位に突出する突起部を設け、
前記可動板を移動させて形成した空間に戻された紙幣が前記紙幣プール部から離れる方向に湾曲するようにしたことを特徴とする紙幣入出金機。
【請求項６】
請求項１から請求項４または請求項５の紙幣入出金機において、
前記繰出しローラで分離され繰出された紙幣を紙幣搬送路へ送り出すフィードローラの回転駆動を紙幣搬送路上の前記異常検知手段の下流に配置された搬送ローラへ伝達、または、その伝達を遮断する駆動連結機構を設け、
前記異常検知手段で紙幣の異常を検知したとき、前記駆動連結機構により前記搬送ローラへの回転駆動の伝達を遮断し、前記フィードローラを回転させて該フィードローラ上の紙幣を、前記可動板を移動させて形成した空間に戻すようにしたことを特徴とする紙幣入出金機。
【請求項７】
請求項１から請求項４または請求項５の紙幣入出金機において、
前記繰出しローラで分離され繰出された紙幣を紙幣搬送路へ送り出すフィードローラの回転駆動を紙幣搬送路上の前記異常検知手段の下流に配置された搬送ローラへ伝達、または、その伝達を遮断する駆動連結機構を設け、
前記異常検知手段で紙幣の異常を検知したとき、前記駆動連結機構により前記フィードローラの回転駆動を伝達して搬送ローラを回転させ、該紙幣を前記搬送ローラまで搬送させた後、前記搬送ローラへの回転駆動を遮断して該搬送ローラを独立させて回転させ、該搬送ローラで該紙幣を搬送するようにしたことを特徴とする紙幣入出金機。
【請求項８】
請求項７の紙幣入出金機において、
前記搬送ローラの回転および停止を繰り返す時間間隔を変化させて搬送される紙幣の間隔を変化させるようにしたことを特徴とする紙幣入出金機。
【発明の詳細な説明】
【技術分野】
【０００１】
本発明は、自動取引装置等に搭載される紙幣入出金機に関し、特に、紙幣を投入する紙幣投入部とその紙幣投入部から装置内へ紙幣を１枚ずつ取り込む紙幣分離部および紙幣搬送路等を有する紙幣入出金機に関する。
【背景技術】
【０００２】
従来の紙幣入出金機を図面にしたがって説明する。
図１６は従来の紙幣入出金機における紙幣投入または受取り時の紙幣投入部の左側断面の説明図である。
図１６において、１６１は紙幣プール壁であり、紙幣入出金部に紙幣１６５を蓄積する空間を形成し、側断面が略Ｌ字形の部材である。
【０００３】
１６２は紙幣プール部であり、紙幣プール壁１６１で形成された入金または出金する複数の紙幣１６５を一時的に蓄積しておく空間である。この紙幣プール部１６２は紙幣１６５の長手方向が水平方向に、短手方向が鉛直方向になるように形成され、顧客が紙幣１６５の投入および受取りをすることが可能になっている。
１６３は紙幣入出金口シャッタであり、紙幣プール部１６２の上部に配置され、前後にスライドするように構成されているものである。
【０００４】
１６４はビルプレスであり、側断面が略直線状に形成され一端が屈折したものである。このビルプレス１６４は紙幣プール部１６２の一側面を形成している。また、このビルプレス１６４は投入された紙幣１６５を押圧することができようになっている。
図１７は従来の紙幣入出金機における入金紙幣分離時の紙幣投入部の左側断面の説明図である。
【０００５】
図１７において、１６６は繰出しローラであり、紙幣プール部１６２に投入され、ビルプレス１６４で押圧された紙幣１６５を１枚ずつ分離して繰出すものである。
１６７は紙幣プール支点であり、紙幣プール部１６２を紙幣入出金機の奥部方向に略９０度回転させることができる支点である。紙幣プール部１６２を略９０度回転させ紙幣１６５を繰出しローラ１６６に当接させ、その繰出しローラ１６６を回転させ紙幣１６５を１枚ずつ分離して紙幣を搬送する紙幣搬送路へ繰出し、入金動作を行う。
【０００６】
図１８は従来の紙幣入出金機における出金紙幣集積時の紙幣投入部の左側断面の説明図である。
図１８において、１６８は紙幣集積ローラである。この紙幣集積ローラを回転させ搬送路１６９から搬送された出金紙幣１６５を紙幣プール部１６２へ集積するために搬送する。この出金紙幣１６５を紙幣プール部１６２へ集積するときビルプレス１６４は紙幣１６５が衝突しないように紙幣入出金部の上部に退避させておく。紙幣１６５の集積が完了すると紙幣プール部１６２を紙幣入出金機の前方に略９０度回転させ、さらに紙幣入出金口シャッタ１６３を開放して顧客が紙幣１６５を受取ることができるようにする。
【０００７】
従来の紙幣入出金機は、このように構成された紙幣投入部を備え、紙幣プール部１６２に投入された紙幣１６５を繰出しローラ１６６で１枚ずつ分離して繰出し入金動作を行うようにしていた。
しかし、紙幣プール部１６２に投入された紙幣１６５が複数枚であると１枚ずつ分離して繰出すことができず複数枚の紙幣が紙幣搬送路の入口に噛み込み、紙幣を紙幣搬送路へ繰出すことができない現象が発生することもある。また、紙幣プール部１６２に投入された紙幣１６５に折れた紙幣や破れた紙幣、不揃いに束ねられた紙幣等の異常な紙幣が混入していた場合、そのような紙幣は紙幣搬送路で走行異常を発生させることになり、正常に紙幣を搬送させることができなかった。
【０００８】
そこで、紙幣搬送路に備えたセンサ等により前述した紙幣搬送路の入口に噛み込んだ紙幣や異常な紙幣を検知するとその紙幣を繰出しローラ１６６の回転を一旦停止し、その後、紙幣を搬送路に繰出す方向と逆の方向に回転させ、その紙幣を紙幣プール部１６２へ戻す動作を行うようにしている。戻された紙幣は再度、繰出しローラ１６６により分離され紙幣搬送路へ繰出される。その結果、再度、紙幣搬送路に備えたセンサにより異常が検知された紙幣は紙幣プール部１６２へ戻す動作を行い、顧客に紙幣の再投入を促す案内を表示部に表示するなどを行っている。
【０００９】
このように、紙幣を１枚ずつ分離して繰出すとき紙幣の搬送の異常を検知した場合、その紙幣を元の位置に戻しているものがある（例えば、特許文献１参照）。
また、異常を検知した紙幣を除去する除去ローラを設けたものもある（例えば、特許文献２参照）。
【特許文献１】特開平１１−１１６０８１号公報（段落「０００８」〜段落「００１３」、図３）
【特許文献２】特開２００３−３２７３４０号公報（段落「００１９」〜段落「００２３」、図１）
【発明の開示】
【発明が解決しようとする課題】
【００１０】
しかしながら、上述した従来の技術においては、紙幣搬送路に備えたセンサ等により検知した紙幣搬送路の入口に噛み込んだ紙幣や異常な紙幣は紙幣搬送路の入口を通過しているものもあり、その紙幣搬送路の入口を通過した紙幣を紙幣プール部１６２へ戻す動作を行うと図１９に示すように紙幣プール部１６２の紙幣に衝突してしまい紙幣の走行異常や紙幣プール部１６２の回転ができない等の異常が発生してしまうという問題がある。
【００１１】
また、上述した走行異常が発生した紙幣を顧客に返却する場合、図２０に示すようにくしゃくしゃになった紙幣を顧客に返却してしまうという問題がある。
本発明は、このような問題を解決することを課題とする。
【課題を解決するための手段】
【００１２】
そのため、本発明は、紙幣入出金口から投入された紙幣を蓄積する紙幣プール部と、該紙幣プール部に投入された紙幣を支持するフロアガイド部と、該フロアガイド部に設けられ、該紙幣に当接する繰出しローラと、該繰出しローラを回転させ1枚ずつ分離して繰出した紙幣を搬送する紙幣搬送路と、搬送された紙幣の異常を検知する異常検知手段とを備えた紙幣入出金機において、紙幣プール部内を移動可能な可動板と、該可動板を移動させる駆動手段とを設け、前記異常検知手段で紙幣の異常を検知したとき、前記駆動手段で前記可動板を移動させ、前記紙幣プール部に投入された紙幣と前記フロアガイド部との間に異常が検知された該紙幣を戻す空間を形成するようにしたことを特徴とする。
【発明の効果】
【００１３】
このようにした本発明は、異常が検知された紙幣を紙幣プール部へ戻すとき、紙幣プール部に紙幣を戻すことができる空間を確保することができ、紙幣プール部に投入された紙幣に衝突させることなく異常が検知された紙幣を紙幣プール部へ戻すことができるという効果が得られる。
【発明を実施するための最良の形態】
【００１４】
以下、図面を参照して本発明による紙幣入出金機の実施例を説明する。
【実施例】
【００１５】
まず、第１の実施例について説明する。
図２は第１の実施例を示す紙幣入出金機の外観斜視図である。
図２において、１は紙幣入出金機であり、その前面に顧客操作表示盤２、紙幣入出金口３、カード挿入排出口４および明細票排出口５を備えている。この紙幣入出金口３には図示しない紙幣入出金口シャッタが備えられており、その紙幣入出金口シャッタで仕切られた紙幣入出金機１の内部に後述する紙幣投入部が備えられている。
【００１６】
７は紙幣入出金機１の筐体である。
図１は第１の実施例における紙幣投入部の左側断面の説明図である。図１（ａ）は紙幣投入部に紙幣を投入する場合の説明図、図１（ｂ）は紙幣投入部に投入された紙幣を繰出して入金する場合の説明図である。なお、図１の図中右側が紙幣入出金機１の前面側（以下、単に「前面側」という。）であり、図中左側が紙幣入出金機１の後面側（以下、単に「後面側」という。）である。
【００１７】
図１（ａ）において、２１は紙幣プール壁であり、側断面が略Ｌ字状に形成されたものである。この紙幣プール壁２１は紙幣を蓄積する空間である紙幣プール部２２の側面および底部を形成し、その紙幣プール部２２の側面は後面側の側面および左右の側面の三方向である。紙幣プール部２２の底部は投入された紙幣２４に混入された異物等を紙幣プール部２２から落下させることができるように、例えば、棒状の部材をはしご状に配置して形成されている。
【００１８】
なお、紙幣プール部２２と筐体７の間には図示しない紙幣入出金口シャッタおよび駆動手段が設けられており、開閉可能に形成されている。
また、紙幣プール部２２は投入される紙幣の長手方向が水平方向に、短手方向が鉛直方向になるように形成される。
さらに、紙幣プール部２２の下方に異物回収箱が設けられ、紙幣プール部２２に投入された紙幣２４に混入された異物等を紙幣プール壁２１の底部から落下させ、それを貯留する。
【００１９】
２５はビルプレスであり、紙幣プール部２２の前面側の一側面を形成して投入された紙幣を受入れる空間を形成するものである。また、このビルプレス２５は図示しない回動可能なアームの自由端に軸止され、紙幣プール部２２に投入された紙幣２４を押圧して後述する繰出しローラに当接させるものでもある。
上述した紙幣プール壁２１およびビルプレス２５により紙幣プール部２２の底部および側面を形成し、また、図中上部が開口した紙幣プール部２２を形成する。
【００２０】
２６は支点であり、紙幣プール壁２１の左右両側面に設けられたものである。この２６を支点として、紙幣プール部２２を形成する紙幣プール壁２１等を図示しない駆動手段により回動させる。
紙幣を紙幣プール部２２へ投入する場合、および紙幣プール部２２の紙幣を受け取る場合、紙幣プール部２２の開口部が紙幣入出金口３と対向する位置（この位置を「紙幣投入受取り位置」という。）に回動させ、紙幣プール部２２へ投入された紙幣を繰出して入金する場合、および出金する紙幣を紙幣プール部２２に集積する場合、紙幣プール部２２の開口部が図中反時計回りに略９０度回転した位置（この位置を「入金紙幣分離位置」または「出金紙幣集積位置」という。）に回動させる。
【００２１】
図１（ｂ）において、２７は繰出しローラであり、外周の一部が他の部分より摩擦係数の大きいゴム等の部材で形成されたものである。この繰出しローラ２７を図示しないモータ等の動力発生手段により図中時計回りに回転させてビルプレス２５により当接された紙幣２４を１枚ずつ分離して繰出すことができる。なお、紙幣プール壁２１の側面には図示しない孔が設けられており、紙幣プール壁２１を回動させることにより紙幣プール部２２に投入された紙幣２４は前記孔より突出した繰出しローラ２７に当接させることができる。
【００２２】
また、この繰出しローラ２７は紙幣２４の下面の先端部に当接するように配置されている。
２８はフィードローラであり、繰出しローラ２７により繰出される紙幣２４の繰出し方向近傍に配置され図示しない駆動手段により回転可能なものである。
２９はゲートローラであり、フィードローラ２８の周面と接触させて配置され、紙幣取込みゲートを形成するものである。フィードローラ２８を図中反時計回りに回転させ、繰出しローラ２７により分離され繰出された紙幣２４をフィードローラ２８とゲートローラ２９で形成された紙幣取り込みゲートから入金紙幣搬送路３０へ搬送する。
【００２３】
３２はフロアガイド部であり、紙幣プール部２２を入金紙幣分離位置へ回動させたとき、紙幣プール壁２１とともに紙幣プール部２２の底面を形成し、紙幣プール部２２に投入された紙幣２４の下面を支持するものである。このフロアガイド部３２にも図示しない孔が設けられており、その孔より突出した繰出しローラ２７に紙幣プール部２２に投入された紙幣２４を当接させることができる。
【００２４】
３３はフィードローラガイドであり、フィードローラ２８とゲートローラ２９で形成された紙幣取り込みゲートから入金紙幣搬送路３０へ紙幣を導くものである。
３４は搬送ローラであり、紙幣取り込みゲートの近傍である入金紙幣搬送路３０に周面と接触させて配置され、図示しない駆動手段により回転可能なものである。この搬送ローラ３４により紙幣取り込みゲートから搬送された紙幣２４は挟持されて搬送される。
【００２５】
なお、搬送ローラ３４の回転軸はベルト等の回転駆動伝達手段によりフィードローラ２８の回転軸と連結され、フィードローラ２８の回転方向と同じ方向に搬送ローラ３４が回転するように構成されている。
３５は残留検知センサであり、フィードローラ２８とゲートローラ２９で形成された紙幣取り込みゲートと紙幣プール部２２の間に残留した紙幣２４の有無を検知するものである。
【００２６】
３６は搬送異常検知センサであり、繰出しローラ２７により分離され繰出され、紙幣取り込みゲートから入金紙幣搬送路３０へ搬送される紙幣２４の搬送異常を検知する異常検知手段である。ここで、紙幣２４の搬送異常とは、例えば、紙幣２４の斜行、複数の紙幣２４の異常な接近および複数の紙幣２４が重なり合った搬送等である。
上述した残留検知センサ３５および搬送異常検知センサ３６は、例えば、発光部と受光部を有する光学式のセンサ等で構成されたものであるが、それに限られるものでない。
【００２７】
３７は可動板であり、フロアガイド３２ならびに紙幣プール部２２の側面を形成する紙幣プール壁２１とビルプレス２５との間に配置され、図示しない駆動手段により昇降可能に構成されたものである。この可動板３７を上昇させることによりビルプレス２５との間に投入された紙幣２４を上昇させ、フロアガイド３２ならびに紙幣プール壁２１と紙幣２４との間に隙間を形成することができる。一方、可動板３７を下降させることにより投入された紙幣２４を繰出しローラ２７に当接させ、分離繰出し動作が可能になる。
【００２８】
ここで、紙幣の投入時は、図１（ａ）に示すように可動板３７を紙幣プール壁２１に接近させ、紙幣２４は可動板３７とビルプレス２５との間に投入される。
上述した紙幣プール壁２１、紙幣プール部２２、ビルプレス２５、繰出しローラ２７、フィードローラ２８、ゲートローラ２９、フロアガイド部３２および可動板３７等で紙幣投入部を構成する。
【００２９】
図３は第１の実施例における紙幣投入部の斜視図、図４は第１の実施例における可動板昇降機構の説明図である。
図３において、４１は繰出しローラ孔であり、紙幣プール壁２１に設けられた貫通孔である。紙幣プール部２２を入金紙幣分離位置にしたとき、この繰出しローラ孔４１から繰出しローラ２７を突出させて投入された紙幣２４に繰出しローラ２７を当接させ、紙幣２４の分離繰出し動作を可能にするためのものである。
【００３０】
可動板３７は繰出しローラ孔４１から突出した繰出しローラ２７を紙幣２４に当接させるため、コの字状に形成されている。
図４において、可動板３７の一部、例えば、両端部、が紙幣プール壁２１に設けられた図示しないガイド孔を貫通して突出している。その突出部と図示しない駆動手段を備えた昇降機構５２に設けられたアーム５１が係合し、図中底面を形成する紙幣プール壁２１と略平行を保持しつつ、可動板３７は図示しないガイド部材に沿って昇降可能に構成されている。
【００３１】
上述した構成の作用について説明する。
なお、以下に説明する動作は、図示しないメモリや磁気ディスク等の記憶手段に格納されたプログラム（ソフトウェア）に基づいて図示しない中央処理装置等の制御手段により制御される。
まず、紙幣プール部２２に投入された紙幣２４を分離して繰出したとき、その紙幣２４の搬送異常を検知した場合に行う紙幣２４の戻し動作を説明する。
【００３２】
図５は第１の実施例における紙幣戻し動作の説明図、図６は第１の実施例における可動板上昇動作の説明図である。
図５（ａ）に示すようにフィードローラ２８を図中反時計回りに回転させ、繰出しローラ２７により分離され繰出された紙幣２４を紙幣取り込みゲートから入金紙幣搬送路３０へ搬送する。入金紙幣搬送路３０へ搬送されるとき搬送異常検知センサ３６によりその紙幣２４の搬送に異常が発生しているか否かが検知される。
【００３３】
搬送異常検知センサ３６により紙幣２４の搬送に異常が検知されると繰出しローラ２７、フィードローラ２８および搬送ローラ３４が停止され、紙幣２４の搬送が停止される。
紙幣２４の搬送が停止されると残留検知センサ３５により紙幣２４が残留していないことが確認され、図５（ｂ）に示すようにビルプレス２５および可動板３７をそれぞれ図示しない駆動手段により図中上昇させ、可動板３７と紙幣プール壁２１の間に空間、すなわち、隙間を形成させる。
【００３４】
ビルプレス２５および可動板３７を上昇させると繰出しローラ２７、フィードローラ２８および搬送ローラ３４が図中時計方向に回転され、搬送の異常が検知された紙幣２４は可動板３７と紙幣プール壁２１の間に形成された隙間に戻される。
ここで、図６（ａ）に示すように搬送の異常が検知された紙幣２４を可動板３７と紙幣プール壁２１の間に形成された隙間に戻す動作を行うとき、残留検知センサ３５により紙幣２４が残留していることを検知した場合、可動板３７を上昇させると図６（ｂ）に示すように紙幣２４を変形させてしまい、また、紙幣２４を正しく可動板３７と紙幣プール壁２１の間に形成された隙間に戻すことができないため可動板３７は上昇させないようにする。
【００３５】
このように可動板３７を上昇させることなく、図６（ａ）に示す状態のまま、繰出しローラ２７、フィードローラ２８および搬送ローラ３４が図中時計方向に回転され、搬送の異常が検知された紙幣２４は紙幣プール部２２に戻される。
このようにして、搬送の異常が検知された紙幣２４が戻されると上昇させたビルプレス２５および可動板３７はそれぞれ図示しない駆動手段により図中下降させて紙幣２４を繰出しローラ２７に当接させる。
【００３６】
繰出しローラ２７に紙幣２４が当接させられると再度、フィードローラ２８を図中反時計回りに回転させ、繰出しローラ２７により分離され繰出された紙幣２４を紙幣取り込みゲートから入金紙幣搬送路３０へ搬送する。
次に、戻した紙幣を顧客に返却する動作を説明する。
図７は第１の実施例における戻した紙幣の返却動作の説明図、図８は第１の実施例における可動板の斜視図である。
【００３７】
上述したとおり搬送の異常が検知された紙幣２４が戻されると図７（ａ）に示すように上昇させたビルプレス２５および可動板３７はそれぞれ図示しない駆動手段により図中下降させて戻された紙幣２４および分離されていない紙幣２４を保持する。
ビルプレス２５および可動板３７を下降させると図７（ｂ）に示すように紙幣プール部２２を紙幣投入受取り位置に回動させる。
【００３８】
紙幣プール部２２を紙幣投入受取り位置に回動させると図７（ｃ）に示すようにビルプレス２５を前面側に移動させて顧客操作表示盤２に紙幣の受取りを促す画面を表示するとともに紙幣入出金口シャッタを開き、戻された紙幣２４および分離されていない紙幣２４を顧客に返却する。
このとき、図８に示すように可動板３７はコの字形状になっているため、可動板３７の奥側にある戻された紙幣２４をつかみ易くなり、顧客は容易に紙幣２４を受取ることができる。
【００３９】
また、戻された紙幣２４を顧客が受取り易くするため、次のように構成してもよい。
図９および図１１は第１の実施例における突起部の斜視図、図１０第１の実施例における突起部の上面図である。
図９において、４８は突起部であり、可動板３７と紙幣プール壁２１が接近したとき、可動板３７のコの字形状を形成するように設けられた欠けた部位に突出するように紙幣プール壁２１に形成されたものである。なお、本実施例では、突起部４８は左右２箇所に設けられたものとするが２箇所に限られることなく、１箇所であっても３箇所以上であってもよい。
【００４０】
図１０において、４９は突起部４８により形成された紙幣プール部２１と紙幣２４との空間である。この空間４９を形成することにより、図１１に示すように顧客は返却された紙幣を受取りやすくなる。
以上説明したように、第１の実施例では、異常が検知された紙幣を紙幣プール部へ戻すとき、可動板により紙幣プール部に投入された紙幣を押し上げて紙幣プール部に空間を確保することが可能になり、その紙幣プール部に投入された紙幣に衝突させることなく異常が検知された紙幣を紙幣プール部へ戻すことができるという効果が得られる。
【００４１】
また、異常が検知された紙幣を紙幣プール部へ戻すとき、紙幣プール部と紙幣取り込みゲートの間に設けた残留検知センサにより紙幣の残留を検知した場合、可動板を上昇させることなく異常が検知された紙幣を紙幣プール部へ戻すことができるという効果が得られる。
さらに、紙幣プール部へ戻された紙幣は、再度、分離して繰出すことができるため紙幣入出金機の休止を減少させることができるとともに動作時間を短縮することができるという効果が得られる。
【００４２】
また、可動板にコの字形状を形成するように欠けた部位を設けたため、紙幣入出金機を操作する顧客が返却された紙幣をつかみ易く、また、見易くなるという効果が得られる。
さらに、可動板に設けた突起部により返却された紙幣と紙幣プール壁の間に隙間が形成され、紙幣が紙幣プール壁に張り付くことを防止し、また、可動板の後面側に存在する紙幣をつかみ易くすることができるという効果が得られる。
【００４３】
次に、第２の実施例を説明する。
図１２は第２の実施例における紙幣投入部の左側断面の説明図である。
なお、上述した第１の実施例と同様の部分は、同一の符号を付してその説明を省略する。
図１２において、４５はフィードローラであり、繰出しローラ２７により繰出される紙幣２４の繰出し方向近傍に配置され、図示しない回転角を制御することができるパルモータ等の駆動手段により正逆双方向に回転可能なものである。
【００４４】
４６は搬送ローラであり、紙幣取り込みゲートの近傍である入金紙幣搬送路３０に周面と接触させて配置され、図示しない駆動手段により正逆双方向に回転可能なものである。この搬送ローラ４６により紙幣取り込みゲートから搬送された紙幣２４は挟持されて搬送される。
４７はクラッチであり、フィードローラ４５の回転駆動を搬送ローラ４６に伝達または遮断する駆動連結機構である。このクラッチ４７によりフィードローラ４５の回転駆動が搬送ローラ４６に伝達されると搬送ローラ４６はフィードローラ４５の回転方向と同一の方向に同期をとって回転するように構成され、一方、フィードローラ４５の回転駆動が遮断されると搬送ローラ４６は回転を停止するように構成されている。
【００４５】
また、このクラッチ４７によりフィードローラ４５の回転駆動が遮断されているとき、搬送ローラ４６は図示しない回転角を制御することができるパルモータ等の駆動手段によりフィードローラ４５と独立して正逆双方向に回転させることも可能に構成されている。
上述した構成の作用について説明する。
なお、以下に説明する動作は、図示しないメモリや磁気ディスク等の記憶手段に格納されたプログラム（ソフトウェア）に基づいて図示しない中央処理装置等の制御手段により制御される。
【００４６】
図１３、図１４は第２の実施例における搬送異常検知後の動作の説明図である。
まず、繰出しローラ２７により分離され繰出され、紙幣取り込みゲートから入金紙幣搬送路３０へ搬送される複数の紙幣２４が異常な接近をしている搬送異常を搬送異常検知センサ３６検知した後の動作について説明する。
クラッチ４７によりフィードローラ４５の回転駆動を搬送ローラ４６に伝達させてフィードローラ４５および搬送ローラ４６を図１３（ａ）における反時計方向に回転させ、繰出しローラ２７により分離され繰出された紙幣２４を紙幣取り込みゲートから入金紙幣搬送路３０へ１枚ずつ搬送する動作において、図１３（ａ）に示すように搬送異常検知センサ３６により複数の紙幣２４が異常な接近をしている搬送異常が検知されて繰出しローラ２７、フィードローラ４５および搬送ローラ４６が停止され、紙幣２４の搬送が停止されたものとする。このとき、紙幣２４はフィードローラ４５および搬送ローラ４６上にそれぞれ１枚ずつ残留しているものとする。
【００４７】
紙幣２４の搬送が停止されると残留検知センサ３５により紙幣２４が残留していないことを確認し、図１３（ｂ）に示すようにビルプレス２５および可動板３７をそれぞれ図示しない駆動手段により図中上昇させ、可動板３７と紙幣プール壁２１の間に空間、すなわち、隙間を形成させる。
ビルプレス２５および可動板３７を上昇させるとクラッチ４７によりフィードローラ４５の回転駆動を搬送ローラ４６に伝達させないように遮断された後、繰出しローラ２７およびフィードローラ４５が図中時計方向に回転され、フィードローラ４５上の紙幣２４は可動板３７と紙幣プール壁２１の間に形成された隙間に戻される。
【００４８】
フィードローラ４５上の紙幣２４は可動板３７と紙幣プール壁２１の間に形成された隙間に戻されると図１３（ｃ）に示すように搬送ローラ４６が図中反時計回りに回転され、搬送ローラ４６上の紙幣２４は入金紙幣搬送路３０の奥部へ搬送される。
次に、繰出しローラ２７により分離され繰出され、紙幣取り込みゲートから入金紙幣搬送路３０へ搬送される複数の紙幣２４が重なり合った搬送異常を搬送異常検知センサ３６検知した後の動作について説明する。
【００４９】
クラッチ４７によりフィードローラ４５の回転駆動を搬送ローラ４６に伝達させてフィードローラ４５および搬送ローラ４６を図１４（ａ）における反時計方向に回転させ、繰出しローラ２７により分離され繰出された紙幣２４を紙幣取り込みゲートから入金紙幣搬送路３０へ１枚ずつ搬送する動作において、図１４（ａ）に示すように搬送異常検知センサ３６により複数の紙幣２４が重なり合った搬送異常が検知されて繰出しローラ２７、フィードローラ４５および搬送ローラ４６が停止され、紙幣２４の搬送が停止されたものとする。
【００５０】
紙幣２４の搬送が停止されると以下の動作を行う。
クラッチ４７によりフィードローラ４５の回転駆動を搬送ローラ４６に伝達させるようにしてフィードローラ４５および搬送ローラ４６を図１４（ｂ）における反時計方向に所定の回転角を回転させ、停止させる。これにより、紙幣２４は既定の距離を移動し、その紙幣２４の先端部は搬送ローラ４６に到達する。なお、この回転角は紙幣２４が停止した位置から搬送ローラ４６へ到達するように予め決められた既定のものである（動作１）。
【００５１】
紙幣２４の先端部が搬送ローラ４６に到達するとクラッチ４７によりフィードローラ４５の回転駆動を搬送ローラ４６に伝達させないように遮断された後、図１４（ｃ）に示すように搬送ローラ４６だけを図中反時計方向に回転され、紙幣２４は入金紙幣搬送路３０の奥部へ搬送される（動作２）。
上記動作１および動作２を繰り返して行うことにより搬送異常が検知された複数の紙幣２４を１枚ずつ分離して搬送することができる。
【００５２】
また、繰り返して行う上記一連の動作の時間間隔を変化させることにより図１５に示すように連続して分離・搬送される紙幣２４の間隔を制御することができる。
図１５において、６１および６２は紙幣２４の間隔である。また、６５、６７および６９は上記一連の動作の時間を示し、６６および６８は上記一連の動作を行う時間間隔を示すものである。紙幣間隔６１は上記一連の動作の時間間隔を短くしたときのもの（時間間隔６６）であり、紙幣間隔６２は上記一連の動作の時間間隔を長くしたときのもの（時間間隔６８）である。
【００５３】
このようにして紙幣２４の間隔を制御する。
以上説明したように、第２の実施例では、第１の実施例の効果に加え、異常検知センサにより搬送異常が検知された場合、紙幣プール部に戻す紙幣を減少させることができ、紙幣の分離および繰出し動作の時間を短縮することができるという効果が得られる。
また、複数の紙幣が重なり合った搬送異常が検知された場合、紙幣の間隔を制御しながら、その紙幣を１枚ずつ分離して搬送することができるという効果が得られる。
【図面の簡単な説明】
【００５４】
【図１】第１の実施例における紙幣投入部の左側断面の説明図
【図２】第１の実施例における紙幣入出金機の外観斜視図
【図３】第１の実施例における紙幣投入部の斜視図
【図４】第１の実施例における可動板昇降機構の説明図
【図５】第１の実施例における紙幣戻し動作の説明図
【図６】第１の実施例における可動板上昇動作の説明図
【図７】第１の実施例における戻した紙幣の返却動作の説明図
【図８】第１の実施例における可動板の斜視図
【図９】第１の実施例における突起部の斜視図
【図１０】第１の実施例における突起部の上面図
【図１１】第１の実施例における突起部の斜視図
【図１２】第２の実施例における紙幣投入部の左側断面の説明図
【図１３】第２の実施例における搬送異常検知後の動作の説明図
【図１４】第２の実施例における搬送異常検知後の動作の説明図
【図１５】第２の実施例における紙幣繰出し動作の説明図
【図１６】従来の実施例における紙幣投入または受取り時の紙幣投入部の左側断面の説明図
【図１７】従来の実施例における入金紙幣分離時の紙幣投入部の左側断面の説明図
【図１８】従来の実施例における出金紙幣集積時の紙幣投入部の左側断面の説明図
【図１９】従来の実施例における入金紙幣戻し時の紙幣投入部の左側断面の説明図
【図２０】従来の実施例における入金紙幣戻し後の紙幣受取り時の紙幣投入部の左側断面の説明図
【符号の説明】
【００５５】
１    紙幣入出金機
２    顧客操作表示盤
３    紙幣入出金口
４    カード挿入排出口
５    明細票排出口
７    筐体
２１  紙幣プール壁
２２  紙幣プール部
２４  紙幣
２５  ビルプレス
２７  繰出しローラ
２８、４５  フィードローラ
２９  ゲートローラ
３０  入金紙幣搬送路
３２  フロアガイド部
３４、４６  搬送ローラ
３５  残留検知センサ
３６  搬送異常検知センサ
３７  可動板
４１  繰出しローラ孔
４７  クラッチ
４８  突起部
５１  アーム
５２  昇降機構
【図１】
2007199914.tif 000003
【図２】
2007199914.tif 000004
【図３】
2007199914.tif 000005
【図４】
2007199914.tif 000006
【図５】
2007199914.tif 000007
【図６】
2007199914.tif 000008
【図７】
2007199914.tif 000009
【図８】
2007199914.tif 000010
【図９】
2007199914.tif 000011
【図１０】
2007199914.tif 000012
【図１１】
2007199914.tif 000013
【図１２】
2007199914.tif 000014
【図１３】
2007199914.tif 000015
【図１４】
2007199914.tif 000016
【図１５】
2007199914.tif 000017
【図１６】
2007199914.tif 000018
【図１７】
2007199914.tif 000019
【図１８】
2007199914.tif 000020
【図１９】
2007199914.tif 000021
【図２０】
2007199914.tif 000022